(57)【要約】  【課題】  使用性を向上することのできるファクシミリ装置及び信号処理装置を提供する。  【解決手段】  本体部１０と子機３０との間でデータ通信可能なファクシミリ装置１において、本体部１０に設けた第１メモリ１９に空き領域がない場合に、子機３０に設けた第２メモリ３９に受信データを記憶して受信エラーを低減するとともに、メモリ１９に空き領域ができたときにメモリ３９に記憶された受信データをメモリ１９に転送して子機３０を使用可能にした。【選択図】      図３
2005303677.tif 000002
【特許請求の範囲】
【請求項１】
電話回線を通じて通信を行う通信部と、前記通信部による受信データを記憶する第１メモリと、第１メモリのデータを印刷する印刷部とを有する本体部と、
ユーザ操作を行う操作部と、カメラ撮影を行うカメラ部と、前記カメラ部で撮影した画像データを記憶する第２メモリとを有する子機と、
を備え、前記本体部と前記子機との間で通信を行うインターフェース部を前記本体部及び前記子機に設けたファクシミリ装置において、
第１メモリの空き容量を検知して受信データを第１メモリに記憶できないときに前記インターフェースを介して第２メモリに記憶するとともに、第１メモリの空き容量を監視して第１メモリの空き容量が第２メモリに記憶された受信データよりも大きくなったときに第２メモリに記憶された受信データを第１メモリに転送するメモリ制御手段を設けたことを特徴とするファクシミリ装置。
【請求項２】
原稿の画像データを読み取る読取部を前記本体部に設け、該画像データを第１メモリに記憶したことを特徴とする請求項１に記載のファクシミリ装置。
【請求項３】
原稿の画像データを読み取る読取部を前記子機に設け、該画像データを第２メモリに記憶したことを特徴とする請求項１に記載のファクシミリ装置。
【請求項４】
受信データは音声データから成り、音声データを再生する再生部を前記本体部に設けたことを特徴とする請求項１〜請求項３のいずれかに記載のファクシミリ装置。
【請求項５】
第１の機能を行う第１機能部と、第１機能部の動作により発生するデータを記憶する第１メモリとを有する本体部と、
第２の機能を行う第２機能部と、第２機能部の動作により発生するデータを記憶する第２メモリとを有する子機と、
を備え、前記本体部と前記子機との間で通信を行うインターフェース部を前記本体部及び前記子機に設けた信号処理装置において、
第１メモリの空き容量を検知して第１の機能により発生したデータを第１メモリに記憶できないときに前記インターフェースを介して第２メモリに記憶するとともに、第１メモリの空き容量を監視して第１メモリの空き容量が第２メモリに記憶されたデータよりも大きくなったときに第２メモリに記憶されたデータを第１メモリに転送するメモリ制御手段を設けたことを特徴とする信号処理装置。
【発明の詳細な説明】
【技術分野】
【０００１】
本発明は、ファックス機能を有する本体部と、本体部とデータ通信可能な子機とを有するファクシミリ装置に関する。また本発明は、互いに通信可能な本体部と子機とを有する信号処理装置に関する。
【背景技術】
【０００２】
従来のファクシミリ装置は特許文献１に開示されている。このファクシミリ装置は本体部と子機とがインターフェースを介して通信可能になっている。本体部には電話回線を通じて通信を行う通信部と、画像データを印刷する印刷部とが設けられる。子機は画像読取部を有し、原稿を走査して画像を読み取るハンドスキャナになっている。また、子機には画像読取部で読み取った画像データを記憶するメモリが設けられている。
【０００３】
子機の画像読取部で原稿の画像を読み取るとメモリに画像データが一時記憶される。本体部または子機に設けられた操作部の操作によって送信を指示すると、メモリからインターフェースを介して画像データが取り出され、通信部により画像データが送信先に送信される。
【０００４】
また、通信部で画像データを受信すると受信した画像データがインターフェースを介して子機のメモリに一時記憶される。そして、メモリからインターフェースを介して画像データが取り出され、印刷部で印刷される。これにより、ファクシミリ装置による画像データの送受信が行われる。
【特許文献１】特開平５−８３４３１号公報（第３頁−第８頁、第１図）
【発明の開示】
【発明が解決しようとする課題】
【０００５】
上記従来のファクシミリ装置によると、本体部にメモリが設けられないため、子機の電池切れ等が生じると受信データを記憶することができず、受信エラーになる。このため、本体部にも受信データを記憶するメモリを設けた構成が同特許文献１に開示されている。これにより、受信データは本体部のメモリに記憶される。印刷用紙切れ等により本体部のメモリの空き容量がない場合には子機のメモリに受信データを記憶することにより受信エラーを低減することができる。
【０００６】
しかしながら、本体部と子機の両方にメモリを設けた場合には本体部に格納された受信データを印刷しただけでは子機のメモリに空き領域が発生しない。このため、印刷用紙を供給して本体部のメモリに格納された受信データが全て印刷され、子機のメモリに格納された受信データも印刷することにより子機のメモリに空き容量を作ることができる。従って、上記の印刷が終了するまで子機を使用することができず、ファクシミリ装置の使用性が悪い問題があった。
【０００７】
本発明は、使用性を向上することのできるファクシミリ装置及び信号処理装置を提供することを目的とする。
【課題を解決するための手段】
【０００８】
上記目的を達成するために本発明は、電話回線を通じて通信を行う通信部と、前記通信部による受信データを記憶する第１メモリと、第１メモリのデータを印刷する印刷部とを有する本体部と、
ユーザ操作を行う操作部と、カメラ撮影を行うカメラ部と、前記カメラ部で撮影した画像データを記憶する第２メモリとを有する子機と、
を備え、前記本体部と前記子機との間で通信を行うインターフェース部を前記本体部及び前記子機に設けたファクシミリ装置において、
第１メモリの空き容量を検知して受信データを第１メモリに記憶できないときに前記インターフェースを介して第２メモリに記憶するとともに、第１メモリの空き容量を監視して第１メモリの空き容量が第２メモリに記憶された受信データよりも大きくなったときに第２メモリに記憶された受信データを第１メモリに転送するメモリ制御手段を設けたことを特徴としている。
【０００９】
この構成によると、子機の操作部によって電話をかけることや原稿の画像を送信することができる。本体部にも操作部を設けてもよい。電話回線を通じて通信部により着信すると、画像データや音声データ等の受信データが本体部に設けた第１メモリに記憶される。受信が終わると第１メモリから画像データを取り出して印刷部により印刷される。また、留守番電話機能を有する場合は第１メモリから音声データを取り出して再生される。子機にはカメラ機能が設けられ、カメラ部で撮影した画像データは第２メモリに記憶される。メモリ制御手段は第１メモリの空き容量を検知し、第１メモリの空き容量がない場合は受信データはインターフェース部を介して子機の第２メモリに記憶される。第１メモリの受信データが印刷や再生により削除されると第２メモリに記憶された受信データが第２メモリに転送され、第２メモリの空き容量が増加する。
【００１０】
また本発明は、上記構成のファクシミリ装置において、原稿の画像データを読み取る読取部を前記本体部に設け、該画像データを第１メモリに記憶したことを特徴としている。この構成によると、読取部により読取られた画像データは第１メモリに記憶され、印刷部により取り出して印刷される。
【００１１】
また本発明は、上記構成のファクシミリ装置において、原稿の画像データを読み取る読取部を前記子機に設け、該画像データを第２メモリに記憶したことを特徴としている。この構成によると、読取部により読取られた画像データは第１メモリに記憶され、インターフェース部を介して印刷部により取り出して印刷される。
【００１２】
また本発明は、上記構成のファクシミリ装置において、受信データは音声データから成り、音声データを再生する再生部を前記本体部に設けたことを特徴としている。
【００１３】
また本発明は、第１の機能を行う第１機能部と、第１機能部の動作により発生するデータを記憶する第１メモリとを有する本体部と、
第１の機能と異なる第２の機能を行う第２機能部と、第２機能部の動作により発生するデータを記憶する第２メモリとを有する子機と、
を備え、前記本体部と前記子機との間で通信を行うインターフェース部を前記本体部及び前記子機に設けた信号処理装置において、
第１メモリの空き容量を検知して第１の機能により発生したデータを第１メモリに記憶できないときに前記インターフェースを介して第２メモリに記憶するとともに、第１メモリの空き容量を監視して第１メモリの空き容量が第２メモリに記憶されたデータよりも大きくなったときに第２メモリに記憶されたデータを第１メモリに転送するメモリ制御手段を設けたことを特徴としている。
【発明の効果】
【００１４】
本発明によると、本体部に設けた第１メモリに空き領域がない場合に、カメラ部により撮影した画像データを記憶する第２メモリに受信データを記憶するので、受信エラーを低減することができる。また、第１メモリに空き領域ができたときに第２メモリに記憶された受信データを第１メモリに転送するので、第２メモリに空き領域を早く作成して子機のカメラ機能等を使用することができる。従って、ファクシミリ装置の使用性を向上することができる。
【００１５】
また本発明によると、本体部に設けた第１メモリに空き領域がない場合に、第２機能部により発生するデータを記憶する第２メモリに第１機能部により発生するデータを記憶するので、第１機能部の動作エラーを低減することができる。また、第１メモリに空き領域ができたときに第２メモリに記憶されたデータを第１メモリに転送するので、第２メモリに空き領域を早く作成して子機を使用することができる。従って、信号処理装置の使用性を向上することができる。
【発明を実施するための最良の形態】
【００１６】
以下に本発明の実施形態を図面を参照して説明する。図１は一実施形態のファクシミリ装置を示すブロック図である。ファクシミリ装置１は本体部１０と子機３０とを有している。本体部１０及び子機３０にはそれぞれＣＰＵから成る制御部１１、３１が設けられる。
【００１７】
制御部１１には通信部１２、読取部１３、印刷部１４、送受話部１５、インターフェース部１６、表示部１７、操作部１８、メモリ１９、再生部２０が接続され、制御部１１により制御される。制御部３１にはカメラ部３４、送受話部３５、インターフェース部３６、表示部３７、操作部３８、メモリ３９が接続され、制御部３１により制御される。
【００１８】
通信部１２は電話回線２を通じて通信を行い、受信データを受信する。読取部１３は原稿を走査して原稿の画像データを読み取る。印刷部１４は画像データはメモリ１９やメモリ３９に格納された画像データを取り出して印刷する。送受話部１５、３５はマイク及びスピーカから成り、通信部１２を介して電話の送話及び受話を行う。
【００１９】
インターフェース部１６、３６は本体部１０と子機３０との間のデータ通信を行う。表示部１７は液晶パネル等から成り、ファクシミリ装置１の動作状況や操作メニューを表示する。操作部１８、３８は複数の操作キーから成り、ファクシミリ装置１の機能の実行を指示する操作、動作条件を設定する操作、登録操作等を行う。
【００２０】
メモリ１９（第１メモリ）は通信部１２で受信した受信データや読取部１３で読み取った画像データを記憶する。受信データは留守番電話機能により受信される音声データやファックス機能により受信される画像データ等から成る。再生部２０は留守番電話機能によりメモリ１９に記憶された音声データを再生する。
【００２１】
カメラ部３４はレンズ及びＣＣＤを有し、カメラ撮影を行う。メモリ３９（第２メモリ）はカメラ部３４の撮影による被写体の画像データを記憶する。
【００２２】
上記構成のファクシミリ装置１において、電話をかける場合は本体部１０の操作部１８の操作によって相手先の電話番号を入力すると通信部１２により電話番号が送信される。同様に、子機３０の操作部３８の操作によって相手先の電話番号を入力するとインターフェース１６、３６を介して通信部１２により電話番号が送信される。電話接続されると送受話部１５または送受話部３５により送話及び受話を行うことができる。
【００２３】
原稿を送信する場合は原稿を読取部１３で読み取り、読み取った原稿の画像データがメモリ１９に記憶される。操作部１８または操作部３８の操作により相手先の電話番号を入力すると通信部１２により電話番号が送信される。電話接続されるとメモリ１９から画像データが取り出され、通信部１２により送信される。
【００２４】
尚、読取部１３を子機３０に設けて原稿を読み取った画像データをメモリ３９に記憶してもよい。これにより、子機３０はハンドスキャナとして機能する。画像データを送信する際にはメモリ３９から画像データを取り出してインターフェース部１６、３６を介して通信部１２により送信される。
【００２５】
カメラ撮影を行う場合は子機３０の操作部３８の操作によって被写体が撮影され、被写体の画像データはメモリ３９に記憶される。操作部３８の操作により相手先の電話番号を入力すると通信部１２により電話番号が送信される。電話接続されるとメモリ３９から画像データが取り出され、インターフェース部１６、３６を介して通信部１２により送信される。また、本体部１０または子機３０に接続されるパーソナルコンピュータ等の外部機器によりメモリ３９から画像データを取り出して加工することができるようになっている。
【００２６】
通信部１２の受信により着信があった場合は制御部１１により電話かファックスかが判断される。電話の場合は送受話部１５または送受話部３５をとって送話及び受話を行うことができる。また、送受話部１５または送受話部３５がとられない場合は留守番電話機能によって音声データがメモリ１９に記憶される。使用者は操作部１８を操作して再生部２０を駆動することによってメモリ１９から音声データを取りだして再生することができる。
【００２７】
受信がファックスの場合は通信部１２で受信した画像データがメモリ１９に一時記憶される。受信が終了すると印刷部１４によりメモリ１９から画像データを取りだして印刷される。
【００２８】
図２は留守番電話機能による音声データやファックス受信による画像データから成る受信データを受信した際の詳細な動作を示すフローチャートである。ステップ＃１１では本体部１０のメモリ１９の空き容量が取得される。ステップ＃１２では受信した受信データの大きさがメモリ１９の空き領域に記憶可能な大きさか否かが判断される。受信データがメモリ１９の空き領域に記憶可能な場合はステップ＃１３に移行し、上記したように受信データをメモリ１９に記憶して終了する。
【００２９】
受信データをメモリ１９の空き領域に記憶できない場合はステップ＃１４に移行する。ステップ＃１４ではインターフェース部１６、３６を介して本体部１０と子機３０とが通信可能になっているか否かが判断される。本体部１０と子機３０とが通信できない場合はデータ受信の処理を終了して受信エラーとなる。この時、表示部１７、３７により報知してもよい。
【００３０】
本体部１０と子機３０とが通信可能な場合はステップ＃１５で子機３０のメモリ３９の空き容量が取得される。ステップ＃２６では受信した受信データの大きさがメモリ３９の空き領域に記憶可能な大きさか否かが判断される。受信データをメモリ３９の空き領域に記憶できない場合はデータ受信の処理を終了して受信エラーとなる。
【００３１】
受信データをメモリ３９の空き領域に記憶可能な場合はステップ＃１７に移行し、受信データがメモリ３９に記憶される。そして、ステップ＃１８で子機３０のメモリ３９に受信データを記憶したことを表示部１７、３７に表示して終了する。
【００３２】
データの受信が終了すると図３に示すデータ転送処理のフローチャートが呼び出される。本実施形態は子機３０のメモリ３９に受信データが記憶されると本体部１０のメモリ１９に転送されるようになっている。ステップ＃２１では子機３０のメモリ３９に転送すべき受信データがあるか否かが判断される。
【００３３】
転送する受信データがない場合はデータ転送の処理を終了する。転送する受信データがある場合はステップ＃２２で本体部１０のメモリ１９に記憶されたデータが削除されるまで待機する。データの削除は操作部１８の操作により行うことができる。音声データの場合は再生部２０による再生が終わると自動的に削除してもよい。また、印刷用紙切れにより受信した画像データがメモリ１９にある場合は印刷用紙の供給により印刷することによって自動的に画像データを削除してもよい。
【００３４】
メモリ１９に記憶されたデータが削除されるとステップ＃２３に移行する。ステップ＃２３ではインターフェース部１６、３６を介して本体部１０と子機３０とが通信可能になるまで待機する。本体部１０と子機３０とが通信可能になるとステップ＃２４で本体部１０のメモリ１９の空き容量が取得される。
【００３５】
ステップ＃２５ではメモリ３９に記憶された転送が必要な受信データの大きさがメモリ１９の空き領域に記憶可能な大きさか否かが判断される。受信データをメモリ１９の空き領域に記憶できない場合はステップ＃２２に戻ってメモリ１９に記憶されたデータが更に削除されるまで待機する。
【００３６】
メモリ３９に記憶された受信データをメモリ１９の空き領域に記憶可能な場合はステップ＃２６に移行する。ステップ＃２６ではインターフェース部１６、３６を介してメモリ３９に記憶されたデータがメモリ１９に転送される。
【００３７】
本実施形態によると、本体部１０に設けたメモリ１９（第１メモリ）に空き領域がない場合に、カメラ部３４により撮影した画像データを記憶するメモリ３９（第２メモリ）に受信データを記憶するので、受信エラーを低減することができる。また、メモリ１９に空き領域ができたときにメモリ３９に記憶された受信データをメモリ１９に転送するので、メモリ３９に空き領域を早く作成して子機３０によるカメラ撮影等を行うことができる。従って、ファクシミリ装置１の使用性を向上することができる。
【００３８】
尚、図２、図３のフローチャートによってデータを受信した際及びデータを転送する際にメモリ１９、３９を制御するメモリ制御手段が構成されている。
【００３９】
また、本実施形態はファクシミリ装置１について説明しているが、互いにデータ通信可能な本体部と子機とを有する信号処理装置についても同様の構成により同様の効果を得ることができる。即ち、本体部に第１の機能を行う第１機能部と、第１機能部の動作により発生するデータを記憶する第１メモリとを設けるとともに、子機に第２の機能を行う第２機能部と、第２機能部の動作により発生するデータを記憶する第２メモリとを設ける。そして、第１メモリの空き容量を検知して第１の機能により発生したデータを第１メモリに記憶できないときに第２メモリに記憶することにより、第１の機能のエラーを低減することができる。また、第１メモリの空き容量を監視して第１メモリの空き容量が第２メモリに記憶されたデータよりも大きくなったときに第２メモリに記憶されたデータを第１メモリに転送することにより、子機を早く使用することができ、信号処理装置の使用性を向上することができる。
【産業上の利用可能性】
【００４０】
本発明は、ファックス機能を有する本体部とカメラ機能を有する子機から成るファクシミリ装置に用いることができる。また本発明は、通信機能等を有する本体部と、画像記憶機能等を有する子機から成る信号処理装置に用いることができる。
【図面の簡単な説明】
【００４１】
【図１】本発明の実施形態のファクシミリ装置の構成を示すブロック図
【図２】本発明の実施形態のファクシミリ装置のデータ受信動作を示すフローチャート
【図３】本発明の実施形態のファクシミリ装置のデータ転送動作を示すフローチャート
【符号の説明】
【００４２】
１    ファクシミリ装置
２    電話回線
１０    本体部
１１、３１  制御部
１２    通信部
１３    読取部
１４    印刷部
１５、３５  送受話部
１６、３６  インターフェース部
１７、３７  表示部
１８、３８  操作部
１９、３９  メモリ（第１、第２メモリ）
２０    再生部
３０    子機
３４    カメラ部
【図１】
2005303677.tif 000003
【図２】
2005303677.tif 000004
【図３】
2005303677.tif 000005